(57)【要約】【課題】  コンパクトで融通性のある支柱金具を提供する。【解決手段】  パイプ部材１５の外側の前後及び左右にそれぞれ取付けられ、水平部材４１の端に下方に折れ曲がって設けられたフック部４３を上から嵌入させて掛止可能な第１〜第４のフック取付部１６〜１９と、パイプ部材１５の上下にそれぞれ設けられ、第１及び第２の雌ねじ２５〜２８と第１及び第２の雌ねじ２５〜２８にそれぞれ螺合する第１及び第２のボルト２９〜３２とを備え第１及び第２のボルト２９〜３２がパイプ部材１５の内側まで挿通し、パイプ部材１５に挿入される支柱パイプ１３を締め付け可能な第１及び第２の支柱パイプ締付部３３、３４とを有する。【選択図】        図１
2006016856.tif 000002
【特許請求の範囲】
【請求項１】
パイプ部材と、
前記パイプ部材の外側の前後及び左右にそれぞれ取付けられ、水平部材の端に下方に折れ曲がって設けられたフック部を上から嵌入させて掛止可能な第１〜第４のフック取付部と、
前記パイプ部材の上下にそれぞれ設けられ、第１及び第２の雌ねじと該第１及び第２の雌ねじにそれぞれ螺合する第１及び第２のボルトとを備え該第１及び第２のボルトが該パイプ部材の内側まで挿通し、該パイプ部材に挿入される支柱パイプを締め付け可能な第１及び第２の支柱パイプ締付部とを有することを特徴とする支柱金具。
【請求項２】
パイプ部材と、
前記パイプ部材の外側の前後及び左右にそれぞれ取付けられ、水平部材の端に下方に折れ曲がって設けられたフック部を上から嵌入させて掛止可能な第１〜第４のフック取付部と、
前記パイプ部材の上端部及び下端部にそれぞれ設けられ、該パイプ部材に挿入される支柱パイプを周囲から緊結可能な第１及び第２の緊結手段とを有することを特徴とする支柱金具。
【請求項３】
請求項２記載の支柱金具において、前記第１及び第２の緊結手段は、前記パイプ部材の端部に溶接されて断面円形の前記支柱パイプの半円周を囲む固定金具部材と、前記固定金具部材の一端部にその一端部が回動可能に設けられて、前記支柱パイプの残り半分を囲む可動金具部材と、前記固定金具部材の他端部に回動可能に取付けられ、前記可動金具部材の他端部に形成されたＵ字状の切欠きに嵌入する雄ねじ棒と、該雄ねじ棒に螺着するナットとを有することを特徴とする支柱金具。
【請求項４】
請求項２記載の支柱金具において、前記第１及び第２の緊結手段は、前記パイプ部材の端部に溶接されて断面円形の前記支柱パイプの半円周を囲む固定金具部材と、前記固定金具部材の一端部にその一端部が回動可能に設けられて、前記支柱パイプの残り半分を囲む可動金具部材と、前記固定金具部材の他端部と前記可動金具部材の他端部とを締結するねじ手段とを有することを特徴とする支柱金具。
【請求項５】
請求項２記載の支柱金具において、前記第１及び第２の緊結手段は、前記パイプ部材の端部に形成されて断面円形の前記支柱パイプの半円周を囲む固定部と、前記固定部の一端部にその一端部が回動可能に設けられて、前記支柱パイプの残り半分を囲む可動金具部材と、前記固定部の他端部と前記可動金具部材の他端部とを締結するねじ手段とを有することを特徴とする支柱金具。
【請求項６】
請求項１〜５のいずれか１項に記載の支柱金具において、前記パイプ部材は、内径が４２ｍｍ以上で５４ｍｍ以下、かつ、長さが１８０ｍｍ以上で４５０ｍｍ以下であることを特徴とする支柱金具。
【請求項７】
請求項１〜６のいずれか１項に記載の支柱金具において、前記パイプ部材の前後及び左右に取付けられた前記第１〜第４のフック取付部は、同一高さ位置に、又は前後及び左右の前記第１〜第４のフック取付部を対向させて、段違いに設けられていることを特徴とする支柱金具。
【請求項８】
請求項１〜７のいずれか１項に記載の支柱金具において、前記水平部材は、前記フック部と、該フック部が先部側に設けられた短管と、該短管の基部側に設けられ、第３の雌ねじ及び該第３の雌ねじに螺合する第３のボルトを備え該第３のボルトが該短管の内側まで挿通する水平パイプを締め付ける水平パイプ締付部とを備えたフック形成金具を有することを特徴とする支柱金具。
【発明の詳細な説明】
【技術分野】
【０００１】
本発明は、くさび緊結式足場に使用する支柱金具に関する。
【背景技術】
【０００２】
従来、くさび緊結式足場を構成する支柱は、所定の長さ（例えば、９００ｍｍ、１９００ｍｍ、２０９０ｍｍ、２８５０ｍｍ、及び３８００ｍｍ等）の鋼管で形成される支柱パイプに、水平部材（例えば、ブラケット、跳ね出しブラケット、腕木材、及び手摺り等）に設けられたくさび状のフック部を取付け可能な複数、例えば２又は４個のフック取付部が所定間隔（例えば、４５０ｍｍ間隔又は４７５ｍｍ間隔）で溶接されている（例えば、特許文献１参照）。また、支柱パイプのフック取付部に取付けられる水平部材は、所定長さの鋼管で形成される水平パイプの一端又は両端にフック部が溶接されて形成されている。
【０００３】
【特許文献１】特開２００１−１７３２２２号公報
【発明の開示】
【発明が解決しようとする課題】
【０００４】
しかしながら、支柱及び水平部材は、それぞれ寸法が決まっているので取付け時の融通性がないという問題があった。また、支柱には支柱パイプにフック取付部が、また、水平部材には水平パイプにフック部がそれぞれ鋼管に溶接して取付けられているので、溶接時に歪みが発生すると共に、収納時に嵩張るという問題もあった。更に、支柱を上下に接続するためには、支柱の上端と他の支柱の下端とを係合させるための係合部を設けなければならないという問題があった。
【０００５】
本発明はかかる事情に鑑みてなされたもので、コンパクトで融通性のある支柱金具を提供することを目的とする。
【課題を解決するための手段】
【０００６】
前記目的に沿う請求項１記載の支柱金具は、パイプ部材と、
前記パイプ部材の外側の前後及び左右にそれぞれ取付けられ、水平部材の端に下方に折れ曲がって設けられたフック部を上から嵌入させて掛止可能な第１〜第４のフック取付部と、
前記パイプ部材の上下にそれぞれ設けられ、第１及び第２の雌ねじと該第１及び第２の雌ねじにそれぞれ螺合する第１及び第２のボルトとを備え該第１及び第２のボルトが該パイプ部材の内側まで挿通し、該パイプ部材に挿入される支柱パイプを締め付け可能な第１及び第２の支柱パイプ締付部とを有する。
【０００７】
前記目的に沿う請求項２記載の支柱金具は、パイプ部材と、
前記パイプ部材の外側の前後及び左右にそれぞれ取付けられ、水平部材の端に下方に折れ曲がって設けられたフック部を上から嵌入させて掛止可能な第１〜第４のフック取付部と、
前記パイプ部材の上端部及び下端部にそれぞれ設けられ、該パイプ部材に挿入される支柱パイプを周囲から緊結可能な第１及び第２の緊結手段とを有する。
【０００８】
請求項１及び２記載の支柱金具において、パイプ部材には、例えば、一般構造用炭素鋼鋼管及び機械構造用炭素鋼鋼管のいずれか一方又は双方が使用でき、パイプ部材の内径より小さい外径を有する鋼管、例えば、一般構造用炭素鋼鋼管及び機械構造用炭素鋼鋼管のいずれか一方又は双方からなる支柱パイプを挿入することができる。また、第１〜第４のフック取付部は、水平部材のフック部を上から嵌入するために、例えば、上部が開放となった箱状、又は上下開放となった筒状に形成されている。なお、フック取付部は、箱状に形成すると雨等によって内部に水が溜まり錆が発生することがあるので、筒状に形成するのが好ましい。
【０００９】
請求項１記載の支柱金具において、第１及び第２の雌ねじは、それぞれ１又は２以上設けるのが好ましく、この雌ねじにそれぞれ螺合する第１及び第２のボルトは、先端が尖っているのが好ましい。これによって、パイプ部材を支柱パイプに強固に固定することができる。ここで、第１及び第２の雌ねじは、パイプ部材に設けられる貫通孔と、この貫通孔に連通して溶接され、第１及び第２のボルトがそれぞれ螺合するナットとで構成してもよく、この場合、貫通孔はタップを切って雌ねじ止めを形成してもよい。また、第１及び第２の雌ねじは、パイプ部材にタップを切って雌ねじ止めを形成した貫通孔のみで構成し、この貫通孔に第１及び第２のボルトを直接螺合してもよい。
【００１０】
請求項３記載の支柱金具は、請求項２記載の支柱金具において、前記第１及び第２の緊結手段は、前記パイプ部材の端部に溶接されて断面円形の前記支柱パイプの半円周を囲む固定金具部材と、前記固定金具部材の一端部にその一端部が回動可能に設けられて、前記支柱パイプの残り半分を囲む可動金具部材と、前記固定金具部材の他端部に回動可能に取付けられ、前記可動金具部材の他端部に形成されたＵ字状の切欠きに嵌入する雄ねじ棒と、該雄ねじ棒に螺着するナットとを有する。
【００１１】
請求項４記載の支柱金具は、請求項２記載の支柱金具において、前記第１及び第２の緊結手段は、前記パイプ部材の端部に溶接されて断面円形の前記支柱パイプの半円周を囲む固定金具部材と、前記固定金具部材の一端部にその一端部が回動可能に設けられて、前記支柱パイプの残り半分を囲む可動金具部材と、前記固定金具部材の他端部と前記可動金具部材の他端部とを締結するねじ手段とを有する。
【００１２】
請求項５記載の支柱金具は、請求項２記載の支柱金具において、前記第１及び第２の緊結手段は、前記パイプ部材の端部に形成されて断面円形の前記支柱パイプの半円周を囲む固定部と、前記固定部の一端部にその一端部が回動可能に設けられて、前記支柱パイプの残り半分を囲む可動金具部材と、前記固定部の他端部と前記可動金具部材の他端部とを締結するねじ手段とを有する。
【００１３】
請求項６記載の支柱金具は、請求項１〜５記載の支柱金具において、前記パイプ部材は、内径が４２ｍｍ以上で５４ｍｍ以下、かつ、長さが１８０ｍｍ以上で４５０ｍｍ以下である。
請求項６記載の支柱金具において、パイプ部材に挿入する支柱パイプとしては、内径がパイプ部材よりも小さい、例えば、４０ｍｍ〜５０ｍｍのものが好適に使用される。
【００１４】
請求項７記載の支柱金具は、請求項１〜６記載の支柱金具において、前記パイプ部材の前後及び左右に取付けられた前記第１〜第４のフック取付部は、同一高さ位置に、又は前後及び左右の前記第１〜第４のフック取付部を対向させて、段違いに設けられている。
請求項７記載の支柱金具において、第１〜第４のフック取付部を同一高さ位置に取付ける場合には、第１〜第４のフック取付部をそれぞれ溶接してもよいし、１枚の鋼板を折り曲げてパイプ部材に溶接し第１〜第４のフック取付部を形成してもよい。
【００１５】
請求項８記載の支柱金具は、請求項１〜７記載の支柱金具において、前記水平部材は、前記フック部と、該フック部が先部側に設けられた短管と、該短管の基部側に設けられ、第３の雌ねじ及び該第３の雌ねじに螺合する第３のボルトを備え該第３のボルトが該短管の内側まで挿通する水平パイプを締め付ける水平パイプ締付部とを備えたフック形成金具を有する。
【００１６】
請求項８記載の支柱金具において、短管に挿入して水平部材を構成する水平パイプとしては、例えば、一般構造用炭素鋼鋼管及び機械構造用炭素鋼鋼管のいずれか一方又は双方が使用できる。また、水平パイプの一端又は両端に水平部材を取付けて、例えば、ブラケット、跳ね出しブラケット、腕木材、及び手摺りのいずれか１の水平部材を形成することができる。
【発明の効果】
【００１７】
請求項１及びこれに従属する請求項６〜８記載の支柱金具は、パイプ部材と支柱パイプが分離しているので、コンパクトで、しかも、収納及び運搬時に嵩張らない。また、パイプ部材に支柱パイプを挿入する構造であるので、支柱金具を様々な間隔で支柱パイプに固定することができる。更に、パイプ部材の上下に支柱パイプ締付部がそれぞれ設けられているので、支柱パイプに支柱金具を強固に取付けることができると共に、パイプ部材の内側で２本の支柱パイプを接続できる。
【００１８】
請求項２及びこれに従属する請求項３〜８記載の支柱金具は、パイプ部材と支柱パイプが分離しているので、コンパクトで、しかも、収納及び運搬時に嵩張らない。また、パイプ部材に支柱パイプを挿入する構造であるので、支柱金具を様々な間隔で支柱パイプに固定することができる。更に、パイプ部材の上端部及び下端部に緊結手段がそれぞれ設けられているので、支柱パイプに支柱金具を強固に取付けることができると共に、パイプ部材の内側で２本の支柱パイプを接続できる。
【００１９】
特に、請求項３記載の支柱金具は、第１及び第２の緊結手段が、パイプ部材の端部に溶接される固定金具部材と、固定金具部材の一端部にその一端部が回動可能に設けられる可動金具部材と、固定金具部材の他端部に回動可能に取付けられ、可動金具部材の他端部に形成されたＵ字状の切欠きに嵌入する雄ねじ棒と、雄ねじ棒に螺着するナットとを有するので、ナットを締め付けて固定金具部材及び可動金具部材を支柱パイプに押さえ付けて、支柱金具を支柱パイプに固定することができる。
【００２０】
請求項４記載の支柱金具は、第１及び第２の緊結手段は、パイプ部材の端部に溶接される固定金具部材と、固定金具部材の一端部にその一端部が回動可能に設けられる可動金具部材と、固定金具の他端部と可動金具部材の他端部とを締結するねじ手段とを有するので、ねじ手段の締結によって固定金具部材及び可動金具部材を支柱パイプに押さえ付けて、支柱金具を支柱パイプに固定することができる。
【００２１】
請求項５記載の支柱金具は、第１及び第２の緊結手段は、パイプ部材の端部に形成される固定部と、固定部の一端部にその一端部が回動可能に設けられる可動金具部材と、固定部の他端部と可動金具部材の他端部とを締結するねじ手段とを有するので、ねじ手段の締結によって固定部及び可動金具部材を支柱パイプに押さえ付けて、支柱金具を支柱パイプに固定することができる。
【００２２】
請求項６記載の支柱金具は、パイプ部材が、内径が４２ｍｍ以上で５４ｍｍ以下、かつ、長さが１８０ｍｍ以上で４５０ｍｍ以下であるので、非常にコンパクトである。
請求項７記載の支柱金具は、パイプ部材の前後及び左右に取付けられた第１〜第４のフック取付部を同一高さ位置に設けた場合には、水平部材を同一高さとすることができる。また、フック取付部を前後及び左右の第１〜第４のフック取付部を対向させて、段違いに設けた場合には、隣り合う水平部材が重ならず邪魔にならない。
【００２３】
請求項８記載の支柱金具は、水平部材が、フック部、及びフック部が先部側に設けられ、基部側から水平パイプを挿入可能な短管を備えたフック形成金具を有しているので、水平部材の長さを変えることができる。また、フック形成金具には、短管の内側まで挿通して水平パイプを締め付ける第３のボルトを備えた水平パイプ締付部を有するので、水平パイプを強固に固定することができる。
【発明を実施するための最良の形態】
【００２４】
続いて、添付した図面を参照しつつ、本発明を具体化した実施の形態につき説明し、本発明の理解に供する。
ここで、図１は本発明の第１の実施の形態に係る支柱金具を用いた支柱装置の側面図、図２は同支柱金具の平面図、図３は本発明の第２の実施の形態に係る支柱金具の説明図、図４（Ａ）は本発明の第３の実施の形態に係る支柱金具の斜視図、（Ｂ）は同支柱金具のバンド機構の説明図、図５は同支柱金具の変形例に係るバンド機構の説明図である。
【００２５】
図１及び図２を参照して、本発明の第１の実施の形態に係る支柱金具１０を使用した支柱１４及び支柱装置１１について説明する。
支柱金具１０は、外径が４８．６ｍｍの一般構造用炭素鋼鋼管で形成された支柱パイプ１３に所定の間隔（例えば、４７５ｍｍ）で取付けられ、図示しないくさび緊結式足場に使用される支柱１４を構成している。支柱金具１０は、内径が４２ｍｍ以上で５４ｍｍ以下、かつ、長さが１８０ｍｍ以上で４５０ｍｍ（本実施の形態では、例えば、内径が５２．５ｍｍ、長さが２００ｍｍ、及び厚みが４ｍｍ）の一般構造用炭素鋼鋼管で形成されたパイプ部材１５を有している。
【００２６】
また、パイプ部材１５の外側の中央部には、くさび緊結式足場に使用される水平部材の一例である手摺り４１の端に取付けたくさび状のフック部４３が上方から嵌入される第１〜第４のフック取付部１６〜１９が、軸心を垂直に配置したパイプ部材１５の前後左右、すなわち、パイプ部材１５の軸心を中央として円周方向に９０度間隔で設けられ、しかも、前後の第１及び第２のフック取付部１６、１７及び左右の第３及び第４のフック取付部１８、１９をそれぞれ対向させて設け、前後に配置される第１及び第２のフック取付部１６、１７が、左右に配置される第３及び第４のフック取付部１８、１９よりも下方に、段違いに設置されている（以下の実施の形態についても同様である）。
【００２７】
また、第１〜第４のフック取付部１６〜１９は、それぞれ鋼板を平面視して断面コ字状となるように折り曲げて形成され、手摺り４１のフック部４３を係止する係止部２０と係止部２０の両側に設けられた側壁部２１、２２とを有している。係止部２０は、幅が少なくとも係合するフック部４３の幅よりも大きく、正面視して矩形に形成されている。また、第１〜第４のフック取付部１６〜１９は、パイプ部材１５に上下が開放となるように、側壁部２１、２２の端部をパイプ部材１５に溶接されている。なお、側壁部２１、２２の幅は上部よりも下部が短くなるように形成され、係止部２０がパイプ部材１５の軸心と、例えば、５度以上で３０度以下の角度を有して傾斜して配置されている。
【００２８】
図２に示すように、パイプ部材１５の上部及び下部には、パイプ部材１５の内側まで挿通してタップを切って雌ねじ止めを形成した貫通孔２３、及び貫通孔２３に連通して溶接されたナット２４とをそれぞれ有する第１の雌ねじ２５、２６、及び第２の雌ねじ２７、２８が、例えば、１又は２以上（ここでは、２つずつ）設けられている。第１の雌ねじ２５、２６には第１のボルト２９、３０が螺合し、第２の雌ねじ２７、２８には第２のボルト３１、３２が螺合する。第１及び第２のボルト２９〜３２は先端が尖った形状に形成され、第１及び第２のボルト２９〜３２をパイプ部材１５内に挿入された支柱パイプ１３に押し付けて強固に固定することができる。
【００２９】
ここで、第１の雌ねじ２５、２６と第１のボルト２９、３０とによってパイプ部材１５の上部に設けられる第１の支柱パイプ締付部３３が構成され、第２の雌ねじ２７、２８と第２のボルト３１、３２とによってパイプ部材１５の下部に設けられる第２の支柱パイプ締付部３４が構成される。ここで、第１の雌ねじ２５、２６は、それぞれ第１及び第２のフック取付部１６、１７の上方で、しかも、第１及び第２のフック取付部１６、１７に手摺り４１のフック部４３を嵌入可能な位置に形成されている。また、第２の雌ねじ２７、２８は、それぞれ第３及び第４のフック取付部１８、１９の下方で、しかも、第３及び第４のフック取付部１８、１９に手摺り４１のフック部４３を嵌入する際に、フック部４３が第２の雌ねじ２７、２８に接触しない位置に形成されている。
【００３０】
なお、第１の雌ねじ２５、２６及び第２の雌ねじ２７、２８として、貫通孔２３に連通して溶接されたナット２４が取付けられているので、貫通孔２３にはタップを切らなくてもよい。また、パイプ部材が肉厚（例えば、雌ねじが３ピッチ以上形成可能）である場合、第１及び第２の雌ねじとしては、パイプ部材の内側まで挿通してタップを切って雌ねじ止めを形成した貫通孔のみで構成し、ナットを取付けなくてもよい。
【００３１】
支柱装置１１は、支柱金具１０と手摺り４１の端部に取付けられたフック形成金具４０とで構成される。フック形成金具４０は、支柱金具１０の第１〜第４のフック取付部１６〜１９のいずれにも取付けることができ、例えば、外径が４２．７ｍｍで長さが１２００ｍｍの一般構造用炭素鋼鋼管で形成された水平パイプ４２の両端に取付けられて手摺り４１を構成している。なお、水平部材は、手摺りの他に、フック形成金具を両端又は一端に取付けたブラケット、跳ね出しブラケット、及び腕木材のいずれかであってもよい。
【００３２】
フック形成金具４０は、支柱金具１０の第１〜第４のフック取付部１６〜１９に上部から嵌入され、下方に折れ曲がって設けられ上部から下部へと厚みが小さくなるくさび状のフック部４３と、フック部４３が先部側に設けられ、例えば、内径が水平パイプ４２を挿入可能である４４ｍｍで、長さが２００ｍｍの一般構造用炭素鋼鋼管で形成された短管４４とを有している。また、短管４４の基部側下部には、短管４４の内側まで挿通して雌ねじ止めされた貫通孔４５と、貫通孔４５に連通して短管４４に溶接されたナット４６とをそれぞれ有する第３の雌ねじ４７が例えば、１又は２以上（ここでは、１つ）設けられている。
【００３３】
また、第３の雌ねじ４７には、先端が尖った形状に形成された第３のボルト４８が螺合し、第３のボルト４８を短管４４に挿入された水平パイプ４２に押し付けて強固に固定することができる。第３の雌ねじ４７及び第３のボルト４８によって、水平パイプ締付部４９が構成される。また、短管が肉厚（例えば、雌ねじが３ピッチ以上形成可能）である場合には、第３の雌ねじを短管に形成される雌ねじ止めで構成し、第３のボルトを雌ねじ止めに直接螺合させて水平パイプ締付部としてもよい。
【００３４】
図３を参照して、本発明の第２の実施の形態に係る支柱金具６０について説明する。なお、支柱金具１０と同一の構成要素については同一の番号を付してその詳しい説明を省略する。
支柱金具６０は、パイプ部材１５と、パイプ部材１５の外側中央部の前後及び左右に設けられる第１〜第４のフック取付部１６〜１９と、パイプ部材１５の上端部及び下端部にそれぞれ設けられ、パイプ部材１５に挿入される支柱パイプ１３を周囲から緊結する第１及び第２の緊結手段の一例である第１及び第２の単管クランプ６１、６２とを有している。
【００３５】
第１及び第２の単管クランプ６１、６２はそれぞれ、断面円形の支柱パイプ１３の当接面に実質的に一致させた凹部６３を内側に有して支柱パイプ１３の半円周を囲み、パイプ部材１５に溶接して取付けられる固定金具部材６４を有している。固定金具部材６４の基端部には、一端部が回動自在にピン（リベットピン）６５を介して回動可能に連結され、支柱パイプ１３の残りの半分を囲む可動金具部材６６が取付けられている。可動金具部材６６は、他端部にＵ字状の切欠き６７ａが形成されて、切欠き６７ａに固定金具部材６４の先端部に回動自在にピン（リベットピン）６７を介して取付けられた雄ねじ棒６８が嵌入され、これに螺着するナット６９によって、固定金具部材６４及び可動金具部材６６を締め付け、第１及び第２の単管クランプ６１、６２で支柱パイプ１３を緊結できる。
【００３６】
図４（Ａ）、（Ｂ）を参照して、本発明の第３の実施の形態に係る支柱金具７０について説明する。なお、支柱金具１０、６０と同一の構成要素については同一の番号を付してその詳しい説明を省略する。
支柱金具７０は、上端及び下端を所定高さで断面円弧状に切り取って切欠部７１を形成したパイプ部材７２と、パイプ部材７２の外側中央部の前後及び左右に設けられる第１〜第４のフック取付部１６〜１９と、パイプ部材７２の上端部及び下端部にそれぞれ設けられ、パイプ部材７２に挿入される支柱パイプ１３を周囲から緊結する第１及び第２の緊結手段の一例である第１及び第２のバンド機構７３、７４とを有している。
【００３７】
第１及び第２のバンド機構７３、７４は、パイプ部材７２の切欠部７１と対となる突出部７５の内側面に溶接されて、パイプ部材７２に挿入される断面円形の支柱パイプ１３の半円周を囲む固定金具部材７６を有している。固定金具部材７６は、厚みがパイプ部材７２の内側半径と支柱パイプ１３の外側半径の差と実質的に同じであって、高さが突出部７５の切欠部７１からの突出高さと実質的に同じであり、中央が突出部７５に沿って断面円弧状に形成されている。また、固定金具部材７６は、外側面がパイプ部材７２の突出部７５に溶接され、内側面が支柱パイプ１３に当接する当接部７７となっている。当接部７７の両端は、半径方向外側に折り曲げられて第１及び第２の結合部７８、７９が形成されている。また、第１の結合部７８には、ボルト８０を係止する第１の係止孔８１が設けられ、第２の結合部７９には、その上方からリベット８２が挿入可能な第１の回動部８３が形成されるように実質的に断面円形に折り曲げられている。
【００３８】
また、第１及び第２のバンド機構７３、７４は、それぞれ一端にリベット８２を介して、第１の回動部８３と回動自在に取付けられる第２の回動部８４と、他端に第１の係止孔８１と対となる第２の係止孔８５とが設けられた締結部材（可動金具部材）８６を有している。ここで、固定金具部材７６の第１の係止孔８１、締結部材８６の第２の係止孔８５、ボルト８０、及びナット８７によって、ねじ手段が構成され、第１及び第２の係止孔８１、８５にボルト８０を挿入し、ナット８７を締め付けてパイプ部材７２に挿入された支柱パイプ１３を固定することができる。
【００３９】
なお、第１及び第２のバンド機構７３、７４は、第１の係止孔８１及び第２の係止孔８５に連通するナットをその外側に溶接してもよい。また、固定金具部材７６及び締結部材８６のいずれか一方又は双方が肉厚（例えば、雌ねじが３ピッチ以上形成可能）である場合、第１の係止孔又は第２の係止孔はタップを切って雌ねじ止めを形成し、雌ねじ止めされた係止孔がボルトの先部となるように螺着してもよい（以下の実施の形態でも同様である）。
【００４０】
なお、図５に示すように、固定金具部材７６をパイプ部材７２に溶接する代わりに、パイプ部材７２ａの切欠部９０の断面が、例えば、円弧角を１８０度未満となるように円弧状に切り取って形成した突出部９１の中央側を当接部９２とし、突出部９１の両端部をそれぞれ半径方向外側に折り曲げて第１の結合部９５及び第２の結合部９７として、固定部９３を形成してもよい。突出部９１の他端部の第１の結合部９５には、図示しないボルトを係止する第１の係止孔９４が形成され、突出部９１の一端部の第２の結合部９７にはその上方から図示しないリベットが挿入可能な第１の回動部９６が形成され、固定部９３の第２の結合部９７に締結部材８６の一端部を回動可能に設け、固定部９３の第１の結合部９５と締結部材８６の他端部をねじ手段で結合することにより、支柱パイプを固定することができる。
【００４１】
本発明は、前記した実施の形態に限定されるものではなく、本発明の要旨を変更しない範囲での変更は可能であり、例えば、前記したそれぞれの実施の形態や変形例の一部又は全部を組み合わせて本発明の支柱金具を構成する場合も本発明の権利範囲に含まれる。
【００４２】
例えば、前記実施の形態の支柱金具において、第１〜第４のフック取付部を、パイプ部材の前後及び左右をそれぞれ対向させて段違いに設けたが、同一高さに設けてもよい。この場合には、第１〜第４のフック取付部を個々に形成してもよく、１枚の鋼板を折り曲げて一体的に形成してもよい。
また、第１の雌ねじはそれぞれ第１及び第２のフック取付部の上方に、また、第２の雌ねじは、それぞれ第３及び第４のフック取付部の下方にそれぞれ配置したが、第１及び第２の雌ねじはパイプ部材の上下で水平部材のフック部を嵌入可能な位置に形成すればよい。
【図面の簡単な説明】
【００４３】
【図１】本発明の第１の実施の形態に係る支柱金具を用いた支柱装置の側面図である。
【図２】同支柱金具の平面図である。
【図３】本発明の第２の実施の形態に係る支柱金具の説明図である。
【図４】（Ａ）は本発明の第３の実施の形態に係る支柱金具の斜視図、（Ｂ）は同支柱金具のバンド機構の説明図である。
【図５】同支柱金具の変形例に係るバンド機構の説明図である。
【符号の説明】
【００４４】
１０：支柱金具、１１：支柱装置、１３：支柱パイプ、１４：支柱、１５：パイプ部材、１６：第１のフック取付部、１７：第２のフック取付部、１８：第３のフック取付部、１９：第４のフック取付部、２０：係止部、２１、２２：側壁部、２３：貫通孔、２４：ナット、２５、２６：第１の雌ねじ、２７、２８：第２の雌ねじ、２９、３０：第１のボルト、３１、３２：第２のボルト、３３：第１の支柱パイプ締付部、３４：第２の支柱パイプ締付部、４０：フック形成金具、４１：手摺り、４２：水平パイプ、４３：フック部、４４：短管、４５：貫通孔、４６：ナット、４７：第３の雌ねじ、４８：第３のボルト、４９：水平パイプ締付部、６０：支柱金具、６１：第１の単管クランプ、６２：第２の単管クランプ、６３：凹部、６４：固定金具部材、６５：ピン、６６：可動金具部材、６７：ピン、６７ａ：切欠き、６８：雄ねじ棒、６９：ナット、７０：支柱金具、７１：切欠部、７２、７２ａ：パイプ部材、７３：第１のバンド機構、７４：第２のバンド機構、７５：突出部、７６：固定金具部材、７７：当接部、７８：第１の結合部、７９：第２の結合部、８０：ボルト、８１：第１の係止孔、８２：リベット、８３：第１の回動部、８４：第２の回動部、８５：第２の係止孔、８６：締結部材、８７：ナット、９０：切欠部、９１：突出部、９２：当接部、９３：固定部、９４：第１の係止孔、９５：第１の結合部、９６：第１の回動部、９７：第２の結合部
【図１】
2006016856.tif 000003
【図２】
2006016856.tif 000004
【図３】
2006016856.tif 000005
【図４】
2006016856.tif 000006
【図５】
2006016856.tif 000007